(57)【特許請求の範囲】
【請求項１】
プレゼンス情報と連動して情報処理または通信処理に係る１以上のアプリケーションプログラムをダウンロードして実行する携帯端末であって、
自携帯端末が存在している場所または自携帯端末の動作状態に係る種別のプレゼンス情報または自携帯端末の使用者が利用する前記使用者の状態に係わる種別のプレゼンス情報を定期的または非定期に取得するプレゼンス情報取得手段と、
前記プレゼンス情報取得手段がプレゼンス情報を取得する度に取得済みのプレゼンス情報と比較し、前記取得したプレゼンス情報に変化があったことを検出するプレゼンス変化検出手段と、
前記プレゼンス変化検出手段が検出した回数をプレゼンス情報の種別毎に記録するプレゼンス変化回数記録手段と、
前記アプリケーションプログラムのいずれかが使用された場合に、当該アプリケーションプログラムが使用されたことおよび当該アプリケーションプログラムが使用された際のプレゼンス情報を検出する使用アプリ・プレゼンス検出手段と、
前記使用アプリ・プレゼンス検出手段が検出したアプリケーションプログラムの使用回数をアプリケーションプログラムの種別およびプレゼンス情報の種別毎に記録する使用アプリ回数記録手段と、
前記アプリケーションプログラムのいずれかを所定の宛先からのダウンロードまたはダウンロードしたアプリケーションプログラムのいずれかの削除に係る制御を実行するアプリケーションプログラム制御手段と、を有し、
前記アプリケーションプログラム制御手段は、前記使用アプリ回数記録手段を参照し、前記プレゼンス情報の種別毎の使用頻度が予め定められた値未満で、かつ自携帯端末が当該アプリケーションプログラムをダウンロードしていたならば、当該アプリケーションプログラムを削除し、または当該アプリケーションプログラムに係る情報を表示部に表示し、
前記プレゼンス情報の種別毎の使用頻度が予め定められた値以上で、かつ自携帯端末が当該アプリケーションプログラムをダウンロードしていないならば、当該アプリケーションプログラムを前記宛先からダウンロードし、または当該アプリケーションプログラムに係る情報を自携帯端末が備える前記表示部に表示することを特徴とするプレゼンス連動携帯端末。
【発明の詳細な説明】
【技術分野】
【０００１】
本発明は、携帯端末に関し、プレゼンスに連動してアプリケーションプログラムを取得および起動する技術に関する。
【背景技術】
【０００２】
特許文献１には、携帯端末のリソースを有効利用するために、場所や物に対応付けて予め登録されているアプリケーションプログラムを、対応する場所や物の存在を検出した場合にのみ実行する技術が開示されている。
【先行技術文献】
【特許文献】
【０００３】
【特許文献１】特開２００５−２６９５６５号公報
【発明の概要】
【発明が解決しようとする課題】
【０００４】
しかし、特許文献１に記載の技術では、多種多様なアプリケーションプログラムの実行に先立ち、これらのアプリケーションプログラムを場所や物を識別するためのＩＤに対応付けて予め携帯端末に保存しておくか、サーバ装置からダウンロードして保存する必要がある。また、ユーザの使用有無とは無関係にアプリケーションプログラムが自動的に実行される。このため、携帯端末には、ユーザの使用有無に拘わらず多種多様なアプリケーションプログラムをいつでも展開できるだけのリソース（メモリの容量、ＣＰＵ処理能力等）が要求される。
【０００５】
本発明は上記事情に鑑みてなされたものであり、本発明の目的は、ユーザの使用有無に合わせて携帯端末のリソースを効率的に使用し、多種多様なプログラムを利用可能とする技術を提供することにある。
【課題を解決するための手段】
【０００６】
上記課題を解決するために、本発明では、携帯端末の使用者に関連付けて当該携帯端末や他の情報端末によって登録される当該使用者本人のプレゼンス情報を取得し、当該プレゼンス情報が登録されている間に使用されているアプリケーションプログラムを検出し、使用実績として携帯端末に記憶する。そして、前記プレゼンス情報に対する前記アプリケーションプログラムの使用実績が所定の頻度を超えているプログラムは、当該プレゼンス情報取得時に自動的にアプリケーションプログラム配信用のサーバからダウンロードして実行する。また、前記プレゼンス情報に対する前記アプリケーションプログラムの使用実績が所定の頻度を下回るプログラムは、当該プレゼンス情報取得時に自動的に終了して削除する。
【０００７】
例えば、プレゼンス情報と連動して情報処理または通信処理に係る１以上のアプリケーションプログラムをダウンロードして実行する携帯端末であって、自携帯端末が存在している場所または自携帯端末の動作状態に係る種別のプレゼンス情報または自携帯端末の使用者が利用する前記使用者の状態に係わる種別のプレゼンス情報を定期的または非定期に取得するプレゼンス情報取得手段と、前記プレゼンス情報取得手段がプレゼンス情報を取得する度に取得済みのプレゼンス情報と比較し、前記取得したプレゼンス情報に変化があったことを検出するプレゼンス変化検出手段と、前記プレゼンス変化検出手段が検出した回数をプレゼンス情報の種別毎に記録するプレゼンス変化回数記録手段と、前記アプリケーションプログラムのいずれかが使用された場合に、当該アプリケーションプログラムが使用されたことおよび当該アプリケーションプログラムが使用された際のプレゼンス情報を検出する使用アプリ・プレゼンス検出手段と、前記使用アプリ・プレゼンス検出手段が検出したアプリケーションプログラムの使用回数をアプリケーションプログラムの種別およびプレゼンス情報の種別毎に記録する使用アプリ回数記録手段と、前記アプリケーションプログラムのいずれかを所定の宛先からのダウンロードまたはダウンロードしたアプリケーションプログラムのいずれかの削除に係る制御を実行するアプリケーションプログラム制御手段と、を有し、前記アプリケーションプログラム制御手段は、前記使用アプリ回数記録手段を参照し、前記プレゼンス情報の種別毎の使用頻度が予め定められた値未満で、かつ自携帯端末が当該アプリケーションプログラムをダウンロードしていたならば、当該アプリケーションプログラムを削除し、または当該アプリケーションプログラムに係る情報を表示部に表示し、前記プレゼンス情報の種別毎の使用頻度が予め定められた値以上で、かつ自携帯端末が当該アプリケーションプログラムをダウンロードしていないならば、当該アプリケーションプログラムを前記宛先からダウンロードし、または当該アプリケーションプログラムに係る情報を自携帯端末が備える前記表示部に表示することを特徴とする。
【発明の効果】
【０００８】
本発明において、携帯端末は、携帯端末の使用者がアプリケーションプログラムを必要とするプレゼンスを発している場合にのみプログラムを取得して実行し、それ以外の不必要なプログラムは取得も実行もしない。このため、携帯端末のリソースを効率的に使用して多種多様なプログラムを利用できる。
【図面の簡単な説明】
【０００９】
【図１】図１は、本発明の一実施の形態に係る携帯端末１を含むシステムの概略構成図である。
【図２】図２は、携帯端末１の概略機能構成図である。
【図３】図３は、プレゼンス対応アプリ使用実績記憶部１０８の記憶内容を模式的に表した図である。
【図４】図４は、携帯端末１の、プレゼンス情報に対するアプリケーションプログラムの使用実績の記憶と制御を説明するためのフロー図である。
【発明を実施するための形態】
【００１０】
以下に、本発明の実施の形態について説明する。
【００１１】
図１は、本発明の一実施の形態に係る携帯端末１を含むシステムの概略構成図である。
【００１２】
図示するように、本実施の形態に係るシステムは、本発明の携帯端末１、各種端末や各種サーバが接続されるネットワーク２、ネットワーク２と携帯端末１を接続するための無線基地局３、携帯端末１以外の情報端末４、アプリケーションプログラムを配信するアプリケーションサーバ５、人のプレゼンス情報の登録および配信を行うプレゼンスサーバ６、携帯端末１の位置情報を配信する位置情報サーバ７、人の入退室を管理する入退室管理サーバ８を備えて構成されている。
【００１３】
携帯端末１は、３Ｇ（第３世代携帯電話）、Ｗｉ−Ｆｉ（登録商標）等の無線通信により無線基地局３を介してネットワーク２に接続する。また携帯端末１はアプリケーションサーバ５からネットワーク２を介してアプリケーションプログラムを取得して実行する。
【００１４】
情報端末４は、ネットワーク２に接続し、各種情報処理を実行する。具体的にはパーソナルコンピュータ等である。
【００１５】
アプリケーションサーバ５は、携帯端末１で実行されるアプリケーションプログラムを保存し、携帯端末１の指示に従いプログラムを送信する。例えば、会議アプリ、ビジネス電話アプリ、資料共有アプリ、グループウェアアプリ、ナビゲーションアプリ、電子書籍アプリ等である。
【００１６】
プレゼンスサーバ６は、携帯端末１や情報端末４または位置情報サーバ７や入退室管理サーバ８から人のプレゼンス情報を取得する。また、携帯端末１や情報端末４からの指示に従い、前記登録されているプレゼンス情報を要求元に送信する。
【００１７】
尚、プレゼンス情報とは、随時変化する使用者の状況や状態（例えば、「在席／離席」、「会議中」、「作業中」、「出張移動中」、「通勤中」など）の情報であり、リアルタイムに登録して、他の使用者の要求に応じて通知する。
【００１８】
プレゼンスサーバ６へのプレゼンスの登録には一般的な技術としていくつかの方法がある。例えば、使用者が携帯端末１や情報端末４から直接プレゼンスサーバ６にアクセスし、自身のプレゼンス情報（「会議中」など）を使用者を識別する使用者ＩＤと共に直接登録する。または、携帯端末１や情報端末４が、自端末で検出した情報（例えばログイン情報やスケジュール情報、端末の稼働状態、位置情報など）をプレゼンス情報に変換（例えば「在席／離席」、「作業中」、「移動中」など）して、使用者が自端末にログインしたときに得られる使用者ＩＤと共にプレゼンスサーバ６に自動登録するようにしてもよい。更に、プレゼンスサーバ６が使用者に係わる複数の情報を使用者ＩＤと共に取得し、取得した複数の情報から一つのプレゼンスを推定して当該使用者ＩＤに関連付けて登録するようにしてもよい。例えば、プレゼンスサーバ６は、入退室管理サーバ８から使用者の会議室への入室情報を使用者ＩＤと共に取得し、現在時刻に対応する使用者が当該使用者ＩＤによりログインしている携帯端末１からスケジュール情報の用件「打合せ」（現在日時がスケジュールに登録されている用件の予定日時と一致した場合に携帯端末１が通知する）を取得すると、「会議中」のプレゼンスを推定して自プレゼンスサーバ６に登録する。また、プレゼンスサーバ６は、位置情報サーバ７を経由して使用者が公共交通機関内に位置することを示す情報を使用者ＩＤと共に取得し、現在時刻に対応する当該使用者が使用者ＩＤによりログインしている携帯端末１から取得したスケジュール情報の用件が「出張中」であった場合、または現在時刻が通勤時間帯であった場合、「出張移動中」または「通勤中」のプレゼンスを推定して自プレゼンスサーバに登録する。尚、本発明は、これに限らず様々なプレゼンスシステムが提供するプレゼンス情報の種類に応じてプレゼンス情報を推定して自プレゼンスサーバに登録する。
【００１９】
位置情報サーバ７は、携帯端末１のＧＰＳ情報を取得し、構内、構外の地図や施設情報などを当該携帯端末１の使用者に関連付けてプレゼンスサーバ６に送信する。
【００２０】
入退室管理サーバ８は、ＩＤカードリーダなどから各種施設に対する利用者の入退室情報を取得し、施設利用者に関連付けてプレゼンスサーバ６にその情報を送信する。尚、入退室管理サーバ８が管理する利用者のＩＤは、携帯端末１にログイン情報として登録される使用者のＩＤと同じものとする。
【００２１】
つぎに、本実施の形態に係る携帯端末１の詳細を説明する。
【００２２】
図２は、携帯端末１の概略機能構成図である。
【００２３】
図示するように、携帯端末１は、無線インターフェース部１０１と、ユーザインターフェース部１０２と、携帯端末機能部１０３と、プレゼンス登録部１０４と、自己プレゼンス取得部１０５と、プレゼンス対応アプリ使用実績検出部１０６と、アプリケーションプログラム制御部１０７と、プレゼンス対応アプリ使用実績記憶部１０８と、アプリケーションプログラム実行部１０９と、アプリケーションプログラムダウンロード部１１０と、アプリケーションプログラム保存部１１１と、を備えている。
【００２４】
無線インターフェース部１０１は、３Ｇ、Ｗｉ−Ｆｉ等の無線通信により無線基地局３に接続するためのインターフェースである。
【００２５】
ユーザインターフェース部１０２は、ディスプレイ、スピーカ等の出力装置、および、操作パネル等の入力装置を備え、出力装置にデスクトップ画面等の情報を出力するとともに、入力装置を介して使用者から操作を受け付ける。
【００２６】
携帯端末機能部１０３は、携帯端末としての機能を実現する処理部であり、無線インターフェース部１０１を介して相手装置との間に通信路を確立する。そして、この通信路を介して相手装置から受信した通信相手の通話データやテキストデータ等をユーザインターフェース部１０２に出力するとともに、ユーザインターフェース部１０２から受け取った使用者の通話データやテキストデータ等をこの通信路を介して相手装置に送信する。
【００２７】
プレゼンス登録部１０４は、ユーザインターフェース部１０２により使用者が入力したプレゼンス情報または携帯端末機能部１０３から自動的に取得したプレゼンス情報（例えば通信状態やＧＰＳ情報）を、自携帯端末１の使用者のログイン情報（ＩＤ、パスワード）とともにプレゼンスサーバ６または位置情報サーバ７に送信する。
【００２８】
自己プレゼンス取得部１０５は、自携帯端末１の使用者のログイン情報を基に、当該使用者のプレゼンス情報をプレゼンスサーバ６から定期的に取得する。
【００２９】
プレゼンス対応アプリ使用実績検出部１０６は、後述のアプリケーションプログラム実行部１０９から各種アプリケーションプログラムの使用実績を検出する。ここで、使用実績とは、ユーザインターフェース部１０２から実行中のアプリケーションプログラムに対するアクセスがあったか否かを示している。また、プレゼンス対応アプリ使用実績検出部１０６は、自己プレゼンス取得部１０５が定期的に取得する自携帯端末１の使用者のプレゼンス情報が変化するまでの間に、一度でも使用実績を検出したアプリケーションプログラムに対して、後述のプレゼンス対応アプリ使用実績記憶部１０８に当該プレゼンス情報に関連付けて記憶されている内容を更新する。
【００３０】
アプリケーションプログラム制御部１０７は、プレゼンス対応アプリ使用実績記憶部１０８に記憶されている内容と、自己プレゼンス取得部１０５で取得した、自携帯端末１の使用者のプレゼンス情報から、実行または終了、削除すべきアプリケーションプログラムを決定し、後述のアプリケーション実行部１０９に実行または終了、削除を指示する。
【００３１】
プレゼンス対応アプリ使用実績記憶部１０８は、プレゼンス情報毎に各種アプリケーションプログラムの使用実績を記憶する。ここで、プレゼンス対応アプリ使用実績記憶部１０８を、図３を使って説明する。
【００３２】
図３は、プレゼンス対応アプリ使用実績記憶部１０８の記憶内容を模式的に表した図である。図示するように、プレゼンス対応アプリ使用実績記憶部１０８には、各プレゼンス情報種別とそのプレゼンス発生回数がレコード１０８０に記憶される。また、アプリケーションプログラム毎にレコード１０８１が記憶される。レコード１０８１は、各種プレゼンス情報に対応した使用回数を記憶するフィールド１０８２〜１０８Ｘを有する。これにより、レコード１０８０のプレゼンス発生回数と、レコード１０８１の使用回数から、各アプリケーションプログラムのプレゼンス情報毎の使用頻度を算出することができる。尚、レコード１０８１は、自携帯端末１の使用者がアプリケーションサーバ５から新たなアプリケーションプログラムを手動でダウンロードする度に追加される。また、フィールド１０８２〜１０８Ｘは、プレゼンス種別が増える度に追加される。
【００３３】
また、図のアプリＡ〜Ｅは、例えば、会議でよく使用する会議用通信アプリや資料共有アプリ、在席時によく使用するビジネス電話アプリやグループウェアアプリ、出張の移動中に良く使用するナビゲーションアプリ、通勤中によく使用する電子書籍アプリなどである。その他来客時や顧客訪問時によく使用するプレゼンテーションアプリや、自動車運転中に使用する渋滞事故情報通知アプリなど、場所を含む使用者の状況や状態によって使用頻度の異なるアプリであれば適用可能である。そして、前記使用者の状況や状態をプレゼンスＡ〜Ｅに登録する。例えば、会議中、在席中、電話中、待機中、移動中、通勤中などであるが、プレゼンスサーバ６や端末のプレゼンス機能によっては、来客中、顧客訪問中、自動車運転中など更に詳細なプレゼンスに分類することも可能である。
【００３４】
アプリケーションプログラム実行部１０９は、アプリケーションプログラム制御部１０７からの指示に従い、後述のアプリケーションプログラムダウンロード部１１０にプログラムのダウンロードを指示する。また、アプリケーションプログラム実行部１０９は、アプリケーションプログラムダウンロード部１１０がダウンロードしてアプリケーションプログラム保存部１１１に保存したプログラムを実行、終了、削除する。
【００３５】
アプリケーションプログラムダウンロード部１１０は、アプリケーションプログラム実行部１０９の指示により、アプリケーションサーバ５からプログラムをダウンロードし、アプリケーションプログラム保存部１１１に保存する。
【００３６】
アプリケーションプログラム保存部１１１は各種アプリケーションプログラムを保存する。
【００３７】
図４は、携帯端末１の、プレゼンス情報に対するアプリケーションプログラムの使用実績の記憶と、プログラムに対する制御を説明するためのフロー図である。
【００３８】
本フローは、携帯端末１が電源投入などにより起動した後開始される。
【００３９】
まず、自己プレゼンス取得部１０５は、プレゼンスサーバ６から、自携帯端末１の使用者のログイン情報を基にプレゼンス情報を定期的（例えば１分毎）に取得する。そしてプレゼンス情報に変化があるか否かを判定する（Ｓ１００）。
【００４０】
自己プレゼンス取得部１０５は、プレゼンス情報に変化があった場合（Ｓ１００でＹＥＳ）、変化後の新しいプレゼンス情報をプレゼンス対応アプリ使用実績検出部１０６とアプリケーションプログラム制御部１０７に通知する。
【００４１】
通知を受けたプレゼンス対応アプリ使用実績検出部１０６は、プレゼンス対応アプリ使用実績記憶部１０８のレコード１０８０において、フィールド１０８２〜１０８Ｘの中で当該新しいプレゼンス情報に該当するフィールド内のプレゼンス発生回数を一つ増やす（Ｓ１０１）。
【００４２】
つぎに、アプリケーションプログラム制御部１０７は、プレゼンス対応アプリ使用実績記憶部１０８を参照し、新しいプレゼンス情報において起動対象でかつ未保存のアプリケーションプログラムがあるか否か判定する（Ｓ１０２）。未保存のアプリケーションプログラムがある場合（Ｓ１０２でＹＥＳ）、当該アプリケーションプログラムのダウンロードと保存をアプリケーションプログラムダウンロード部１１０に指示する。尚、起動対象とは、新しいプレゼンスにおいて所定の使用頻度以上（例えば１０％以上）となっているプログラムである。
【００４３】
指示を受けたアプリケーションダウンロード部１１０は、アプリケーションサーバ５から該当するアプリケーションプログラムをダウンロードし、アプリケーション保存部１１１に保存する（Ｓ１０３）。
【００４４】
一方、新しいプレゼンスで起動対象かつ未保存のアプリケーションプログラムが無い場合はＳ１０３を省略する。
【００４５】
つぎに、アプリケーションプログラム制御部１０７は、新しいプレゼンスにおいて起動対象のアプリケーションプログラムの起動を、アプリケーションプログラム実行部１０９に指示する。
【００４６】
指示を受けたアプリケーションプログラム実行部１０９は、対象のアプリケーションプログラムをアプリケーションプログラム保存部１１１から読み込み、起動する（Ｓ１０４）。
【００４７】
そして、Ｓ１００に戻り以降の処理を継続する。
【００４８】
一方、アプリケーションプログラム制御部１０７は、プレゼンス対応アプリ使用実績記憶部１０８を参照し、新しいプレゼンスにおいて起動対象外でかつ起動中のアプリケーションプログラムが有るか否かを判定する（Ｓ１０５）。アプリケーションプログラム制御部１０７は、起動対象外でかつ起動中のアプリケーションプログラムがある場合（Ｓ１０５でＹＥＳ）、当該アプリケーションプログラムが新しいプレゼンスに変化後未使用状態のまま所定の時間（例えば３分）を経過したか否かを判定する（Ｓ１０６）。アプリケーションプログラム制御部１０７は、所定時間経過している場合（Ｓ１０６でＹＥＳ）、当該アプリケーションプログラムの自動終了・削除処理をアプリケーションプログラム実行部１０９に指示する。尚、起動対象外とは、新しいプレゼンスにおいて所定の使用頻度（例えば１０％）を下回るプログラムである。例えば、「在席」から「出張移動中」にプレゼンスが変化した場合に、「在席」で起動したビジネスホンアプリを自動終了して削除したり、「通勤中」から「在席」にプレゼンスが変化した場合に、「通勤中」に起動した電子書籍アプリを自動終了して削除する。
【００４９】
指示を受けたアプリケーションプログラム実行部１０９は自動終了・削除処理を起動する（Ｓ１０７）。
【００５０】
一方、アプリケーションプログラム制御部１０７は、起動対象外で新しいプレゼンスに変化後未使用状態のまま所定の時間（例えば３分）を経過したプログラムが無い場合（Ｓ１０６でＮＯ）、Ｓ１００に戻り以降の処理を継続する。
【００５１】
また、アプリケーションプログラム実行部１０９は、アプリケーションプログラムの使用を検出したか否か判定する（Ｓ１０８）。尚、アプリケーションプログラムの使用は、実行中のアプリケーションプログラムにユーザインタフェース部１０２からアクセスがあった場合に検出される。
【００５２】
アプリケーションプログラム実行部１０９はをアプリケーションプログラムの使用を検出すると（Ｓ１０８でＹＥＳ）、該当するアプリケーションプログラム名と共にプレゼンス対応アプリ使用実績検出部１０６に通知する。
【００５３】
通知を受けたプレゼンス対応アプリ使用実績検出部１０６は当該アプリケーションプログラムが新しいプレゼンスに変化してから現在までに使用回数の更新を行っているか否かを判定する（Ｓ１０９）。プレゼンス対応アプリ使用実績検出部１０６は当該アプリケーションプログラムの使用回数の更新を行っていない場合（Ｓ１０９でＹＥＳ）、プレゼンス対応アプリ使用実績記憶部１０８の当該アプリケーションプログラムに対応するレコード１０８１の、フィールド１０８２〜１０８Ｘの中で新しいプレゼンスに該当するフィールドの使用回数を一つ増やす（Ｓ１１０）。
【００５４】
そして、Ｓ１００に戻る。
【００５５】
一方、アプリケーションプログラム実行部１０９がアプリケーションプログラムの使用を検出しなかった場合（Ｓ１０８でＮＯ）と、プレゼンス対応アプリ使用実績検出部１０６が該当するアプリケーションプログラムの使用回数の更新を既に行っている場合（Ｓ１０９でＮＯ）には、Ｓ１００に戻り以降の処理を継続する。
【００５６】
尚、Ｓ１０３、Ｓ１０４、Ｓ１０７において、アプリケーションプログラムのダウンロードや起動、終了、削除の処理を自動的に行っているが、ユーザインターフェース部１０２の表示部に対象のアプリケーションプログラム名と処理内容を表示し、使用者の操作により処理の実行有無を決定しても良い。
【００５７】
以上、本発明の一実施の形態について説明した。
【００５８】
本実施の形態において、携帯端末１は、自携帯端末１の使用者のプレゼンスをプレゼンスサーバ６から取得し、当該プレゼンス取得時に使用されているアプリケーションプログラムの使用実績を更新する。
【００５９】
また、携帯端末１は、自携帯端末１の使用者のプレゼンスが変化した場合に、当該プレゼンスにおいて、使用頻度の少ないアプリケーションプログラムについてはダウンロードや起動を行わない。または起動中のものは終了して削除する。
【００６０】
さらに、自携帯端末１の使用者のプレゼンスが変化した場合に、当該プレゼンスにおいて、使用頻度の多いアプリケーションプログラムをダウンロードして自動的に起動する。このように、携帯端末１の使用者が必要としている場面で適切なアプリケーションプログラムを取得、起動でき、必要としていない場面ではそのプログラムを終了および削除することができる。従って、携帯端末１は、必要最小限のリソースで多種多様のアプリケーションを利用することができる。
【００６１】
なお、本発明は上記の実施の形態に限定されるものではなく、その要旨の範囲内で数々の変形が可能である。
【００６２】
例えば、上記の実施の形態において、アプリケーションサーバ５から、適宜プログラムをダウンロードする形態をとっているが、自携帯端末１に常に保存し、起動と終了だけを制御しても良い。
【００６３】
また、上記の実施の形態において、プレゼンスサーバ６からプレゼンス情報を取得しているが、携帯端末１が検出するプレゼンスだけを用いても良い。また、本実施例ではプレゼンスサーバ６が、登録するプレゼンス情報を推定して自プレゼンスサーバに登録する説明をしているが携帯端末１自身が推定してプレゼンス登録部１０４に登録するようにしても良い。
【００６４】
また、上記の実施の形態において、図２に示す携帯端末１の機能構成は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいは、ＤＳＰ（Ｄｉｇｉｔａｌ  Ｓｉｇｎａｌ  Ｐｒｏｃｅｓｓｏｒ）などの計算機によりソフトウエア的に実現されるものでもよい。もしくは、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、無線アダプタ等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【００６５】
１：携帯端末、２：ネットワーク、３：無線基地局、４：情報端末、５：アプリケーションサーバ、６：プレゼンスサーバ、７：位置情報サーバ、８：入退室管理サーバ、１０１：無線インターフェース部、１０２：ユーザインターフェース部、１０３：携帯端末機能部、１０４：プレゼンス登録部、１０５：自己プレゼンス取得部、１０６：プレゼンス対応アプリ使用実績検出部、１０７アプリケーションプログラム制御部、１０８：プレゼンス対応アプリ使用実績記憶部、１０９：アプリケーションプログラム実行部、１１０：アプリケーションプログラムダウンロード部、１１１：アプリケーションプログラム保存部
【図１】
0005794118.tif 000002
【図２】
0005794118.tif 000003
【図３】
0005794118.tif 000004
【図４】
0005794118.tif 000005